【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
撮影レンズを透過した光の結像位置と撮像面の差分距離と、前記撮影レンズの焦点距離との比を示す像面湾曲率について、前記撮像面の一部の領域である部分領域ごとに平均値を求めて像面湾曲データとして定め、前記像面湾曲データに基づいて、前記撮影レンズの合焦位置を調整可能な合焦手段を備えることを特徴とするカメラ用の合焦制御装置。
【請求項２】
複数の前記部分領域についての前記像面湾曲率の平均値である平均像面湾曲を示す平均像面湾曲データを算出する平均データ算出手段をさらに備え、
前記合焦手段が、前記平均像面湾曲データに基づいて前記撮影レンズの合焦位置を調整可能であることを特徴とする請求項１に記載のカメラ用の合焦制御装置。
【請求項３】
前記合焦手段が、前記平均像面湾曲データに基づいて前記撮影レンズの合焦位置を調整する平均合焦モードと、前記撮像面の中央に位置する前記部分領域についての前記像面湾曲データに基づいて前記撮影レンズの合焦位置を調整する中央合焦モードとを切換えるモード切換手段をさらに有することを特徴とする請求項２に記載の合焦制御装置。
【請求項４】
前記平均像面湾曲率に比例した像面湾曲率である比例像面湾曲率を示す比例像面湾曲データを算出する比例データ算出手段をさらに有し、
前記モード切換手段が、前記平均合焦モードと前記中央合焦モードとに加え、前記合焦手段が前記比例像面湾曲データに基づいて前記撮影レンズの合焦位置を調整する比例合焦モードに切換え可能であることを特徴とする請求項３に記載の合焦制御装置。
【請求項５】
前記比例像面湾曲率の絶対値が、前記平均像面湾曲率の絶対値よりも小さい値であることを特徴とする請求項４に記載の合焦制御装置。
【請求項６】
前記モード切換手段が切換スイッチであることを特徴とする請求項３に記載の合焦制御装置。
【請求項７】
前記平均データ算出手段が、前記撮像面の全ての前記部分領域についての前記平均像面湾曲率を算出することを特徴とする請求項２に記載のカメラ用の合焦制御装置。
【請求項８】
前記部分領域が、前記撮像面を均等に分割する領域であることを特徴とする請求項１に記載のカメラ用の合焦制御装置。
【請求項９】
前記像面湾曲データが、ルックアップテーブルの形式で記憶されていることを特徴とする請求項１に記載の合焦制御装置。
【請求項１０】
前記像面湾曲データの補間処理により新たな補正像面湾曲データを算出する像面湾曲データ算出手段をさらに有することを特徴とする請求項９に記載の合焦制御装置。
【請求項１１】
前記像面湾曲データが、前記撮影レンズの焦点距離ごとに定められていることを特徴とする請求項１に記載の合焦制御装置。
【請求項１２】
前記像面湾曲データが、前記撮影レンズに入射する光量を示す絞り値ごとに定められていることを特徴とする請求項１に記載の合焦制御装置。
【請求項１３】
請求項１に記載の合焦制御装置を備えることを特徴とするカメラ。
【請求項１４】
前記カメラが、レンズユニットがカメラボディに着脱自在に取付けられる一眼レフカメラであって、
前記レンズユニットが、撮影レンズと、前記撮影レンズを識別するための識別データを格納する識別データ格納手段とを備え、
前記カメラボディが、前記撮影レンズに固有の前記像面湾曲データを格納する像面湾曲データ格納手段と、前記識別データに基づいて前記像面湾曲データを読出す像面湾曲データ読出し手段と、前記合焦制御装置とを備えることを特徴とする請求項１３に記載のカメラ。
【請求項１５】
前記カメラが、レンズユニットがカメラボディに着脱自在に取付けられる一眼レフカメラであって、
前記レンズユニットが、撮影レンズと、前記撮影レンズに固有の前記像面湾曲データを格納する像面湾曲データ格納手段とを備え、
前記カメラボディが、前記像面湾曲データを読出す像面湾曲データ読出し手段と、前記合焦制御装置とを備えることを特徴とする請求項１３に記載のカメラ。
【請求項１６】
前記カメラが、前記カメラボディが撮像素子をさらに有するデジタル一眼レフカメラであって、
前記像面湾曲データ読出し手段が、前記撮像素子のフォーマットサイズに応じて、前記像面湾曲データの一部を選択して読出すことが可能であることを特徴とする請求項１５に記載のカメラ。
【請求項１７】
前記カメラが、レンズユニットがカメラボディに着脱自在に取付けられ、記憶媒体が前記カメラボディに装着される一眼レフカメラであって、
前記レンズユニットが、撮影レンズと、前記撮影レンズを識別するための識別データを格納する識別データ格納手段とを備え、
前記記憶媒体が、前記撮影レンズに固有の前記像面湾曲データを格納する像面湾曲データ格納手段を備え、
前記カメラボディが、前記識別データに基づいて前記像面湾曲データを読出す像面湾曲データ読出し手段と、前記合焦制御装置とを備えることを特徴とする請求項１３に記載のカメラ。
【請求項１８】
撮影レンズを透過した光の結像位置と撮像面の差分距離と、前記撮影レンズの焦点距離との比を示す像面湾曲率について、前記撮像面の一部の領域である部分領域ごとに平均値を求めて像面湾曲データとして定め、前記像面湾曲データに基づいて、前記撮影レンズの合焦位置を調整することを特徴とする合焦方法。
【手続補正２】
【補正対象書類名】明細書
【補正対象項目名】００１８
【補正方法】変更
【補正の内容】
【００１８】
カメラボディ３０には、デジタル一眼レフカメラ１０全体を制御するシステムコントロール回路４８が設けられている。そして、メニューボタン１１、十字キー２１、およびＯＫボタン２３が、それぞれシステムコントロール回路４８に接続されており、ユーザの操作に応じた所定の信号がシステムコントロール回路４８に送信される。これらのボタンの操作によってメニュー画面をＬＣＤ４０上に表示させることにより、様々なモード、パラメータの選択が可能である。
【手続補正３】
【補正対象書類名】明細書
【補正対象項目名】００３５
【補正方法】変更
【補正の内容】
【００３５】
像面湾曲データの符号は、撮影レンズ２２を透過した光の結像位置Ｐが、撮像面３４Ｓよりも撮影レンズ２２側にあるか否かを示しており、像面湾曲データが負の値の場合、図５および図６が示すように結像位置Ｐが撮像面３４Ｓよりも撮影レンズ２２側にあることを意味する。従って、例えば、撮影レンズ２２を透過して、図７（Ａ）における像面湾曲データが−６（％）である部分領域に入射する光は、焦点距離ｆに相当する距離Ｌの６（％）分の距離だけ、撮像面３４Ｓから撮影レンズ２２側の位置で結像することを示している。また、撮影レンズ２２の中心を透過した光は撮像面３４Ｓの中心点Ｃで結像し、差分距離ΔＬの値が０である（図５、図６参照）ため、各テーブルにおいて太枠で示す、撮像面３４Ｓの中心点Ｃを含む部分領域においては、像面湾曲データは通常０であり、撮像面３４Ｓの中心点Ｃからの距離が大きい部分領域ほど、像面湾曲データの絶対値は大きくなる。
【手続補正４】
【補正対象書類名】明細書
【補正対象項目名】００３８
【補正方法】変更
【補正の内容】
【００３８】
一方、撮像面３４Ｓに含まれる全ての部分領域についての像面湾曲データが示す像面湾曲率の平均値である平均像面湾曲率に基づいて、合焦位置を調整する平均合焦モードが選択されていた場合、デジタル信号処理回路３８は、平均像面湾曲率を算出する。例えば、図７（Ｂ）に示す像面湾曲データが使用される場合、平均像面湾曲率は−１．１６（％）である。この場合、撮影レンズ２２の焦点距離ｆの１．１６（％）に相当する距離だけ基準ズーム位置から撮像面３４Ｓに近い周辺ズーム位置まで、図１２の矢印Ａの示す方向に撮影レンズ２２を移動させるように、ＡＦ駆動回路５５はＡＦモータ２７を制御する。
【手続補正５】
【補正対象書類名】明細書
【補正対象項目名】００４１
【補正方法】変更
【補正の内容】
【００４１】
デジタル一眼レフカメラ１０においては、中央合焦モードおよび平均合焦モードの他に、平均像面湾曲率に比例した像面湾曲率である比例像面湾曲率に基づいて、合焦位置を調整する比例合焦モードが選択可能である。比例合焦モードにおいては、デジタル信号処理回路３８は、算出した平均像面湾曲値に、予め定められている所定の比例係数を乗じて比例像面湾曲率を算出する。例えば、図７（Ｂ）に示す像面湾曲データが使用され、比例係数が０．５であった場合、比例像面湾曲率は−０．５８（％）である。この場合、撮影レンズ２２の焦点距離ｆの０．５８（％）に相当する距離だけ基準ズーム位置から撮像面３４Ｓに近い周辺ズーム位置まで、図１２の矢印Ａの示す方向に撮影レンズ２２を移動させるように、ＡＦ駆動回路５５はＡＦモータ２７を制御する。
【手続補正６】
【補正対象書類名】明細書
【補正対象項目名】００４２
【補正方法】変更
【補正の内容】
【００４２】
一般に、撮影領域の周辺部よりも中心付近にピントがあっていることが好まれるため、通常、比例係数は１未満の数値であり、比例像面湾曲率の絶対値は平均像面湾曲率の絶対値よりも小さい値となるが、これには限定されない。また、複数の比例係数を選択可能とするために、複数の比例合焦モードを選択可能としても良く、任意の比例係数をメニュー画面において入力可能としても良い。このように、比例合焦モードが選択可能であることにより、中央合焦モードが選択されていた場合よりも撮影画像の周辺領域におけるピントのぼけを軽減させつつ、合焦の基準位置を、周辺ズーム位置、およびその他の所望の位置とすることが可能になる。
【手続補正７】
【補正対象書類名】明細書
【補正対象項目名】００５２
【補正方法】削除
【補正の内容】